(57)【要約】【課題】  温風と冷風を同時にあるいは切替えて吹き出すようにすることができ、かつ使用が自分の髪について使用するときにも使いやすいヘアドライヤーを実現する。【解決手段】  送風機１２ａ，１２ｂ及びヒータ１５ａ，１５ｂを２組設け、これらからの温風又は冷風を１のノズル１６から吹き出すようにした。スイッチ機構２０により、各ヒータ１５ａ，１５ｂを同時に又は選択的にオンオフし、冷風のみ、温風及び冷風、ないし温風のみを送出するよう切替えることができる。【選択図】図２
2005334130.tif 000002
【特許請求の範囲】
【請求項１】
外気を取入れて送出する第１送風機と、この第１送風機からの空気を加熱することのできる第１ヒータと、前記第１送風機とは別個に設けられ、外気を取入れて送出する第２送風機と、前記第１ヒータとは別個に設けられ、この第２送風機からの空気を加熱することのできる第２ヒータと、前記第１、第２送風機から、前記第１、第２ヒータを経た空気を平行に並べて送出する１のノズルと、前記第１、第２ヒータを同時に又は選択的にオンオフし、冷風のみ、温風及び冷風、ないし温風のみを送出するよう切替えるスイッチ機構と、前記第１、第２送風機、第１、第２ヒータ、ノズル及びスイッチ機構を一体に構成する１の本体ケースを有するヘアドライヤー。
【請求項２】
請求項１において、
第１及び第２送風機を左右並行に設けたヘアドライヤー。
【請求項３】
請求項１又は２において、
第１、第２送風機の送風経路中の一方又は双方に設けられ、陰イオンを発生する陰イオン発生器を有するヘアドライヤー。
【請求項４】
請求項１，２又は３において、
第１、第２ヒータを所定時間ごとに交互にオンオフするタイマースイッチ機構を有するヘアドライヤー。
【発明の詳細な説明】
【技術分野】
【０００１】
本発明は、頭髪を乾燥させ、あるいは所望のスタイルに形作るために使用されるヘアドライヤーに関する。
【背景技術】
【０００２】
ヘアドライヤーの使用にあたり、髪を傷めることなく乾燥させるため、髪に温風と冷風を交互にあてる方法がある。この方法は、従来のヘアドライヤーでは、温風と冷風をスイッチで切替えながら行う。このため、この方法は煩わしく、美容師、理容師でない一般の使用者ではあまり行われていない。そこで、この方法をより簡易に実施できるようにしたヘアドライヤーとして、温風と冷風を二重同軸ノズルから同時に吹き出すようにしたものが案出されている（例えば特許文献１参照）。しかしこうすると、通常の温風のみを使用するときの風量が低下するという不都合がある。
【０００３】
また、ヘアドライヤーの使用にあたり、髪を所望のスタイルに形作るため、髪に温風をあてながら所望形状にし、そのまま冷風をあててその形状に固定するという方法がある。この方法は、従来のヘアドライヤーでは、温風と冷風をスイッチで切替え、すなわちヒータのスイッチをオンオフさせながら行う。このため、切替えに時間がかかりこの方法は煩雑である。そこで、この方法をより簡易に実施できるようにしたヘアドライヤーとして、温風用と冷風用の２のノズルを設け、両方同時にあるいは切替えて吹き出すようにしたものが案出されている（例えば特許文献２参照）。しかしこの構成ではノズルが２あるため、特に使用者が自分の髪について使用する場合、所望位置に風を当てにくいという不都合がある。
【特許文献１】特開２０００‐２０１７２３号公報
【特許文献２】特開２０００‐４９３０号公報
【発明の開示】
【発明が解決しようとする課題】
【０００４】
この発明の目的は温風と冷風を同時にあるいは切替えて吹き出すようにすることができ、かつ使用が自分の髪について使用するときにも使いやすいヘアドライヤーを実現することである。
【課題を解決するための手段】
【０００５】
本発明は、送風機及びヒータを２組設け、これらからの温風又は冷風を１のノズルから吹き出すようにしたものである。
【０００６】
すなわち、本発明は、外気を取入れて送出する第１送風機と、この第１送風機からの空気を加熱することのできる第１ヒータと、前記第１送風機とは別個に設けられ、外気を取入れて送出する第２送風機と、前記第１ヒータとは別個に設けられ、この第２送風機からの空気を加熱することのできる第２ヒータと、前記第１、第２送風機から、前記第１、第２ヒータを経た空気を平行に並べて送出する１のノズルと、前記第１、第２ヒータを同時に又は選択的にオンオフし、冷風のみ、温風及び冷風、ないし温風のみを送出するよう切替えるスイッチ機構と、前記第１、第２送風機、第１、第２ヒータ、ノズル及びスイッチ機構を一体に構成する本体ケースを有するヘアドライヤーである。
【０００７】
第１及び第２送風機は、上下あるいは左右並行に配置することができる。
【０００８】
また本発明は、上記において、第１、第２送風機の送風経路中の一方又は双方に設けられ、陰イオンを発生する陰イオン発生器を有するヘアドライヤーを包含する。
【０００９】
さらに本発明は、上記において、第１、第２ヒータを所定時間ごとに交互にオンオフするタイマースイッチ機構を有するヘアドライヤーを包含する。
【発明の効果】
【００１０】
したがって、本発明のヘアドライヤーでは、１のヒータのみを作動させ、両送風機を作動させると、温風と冷風を同時に吹き出すことができる。こうすることにより、手首をわずかに振りながら使用するだけで、１箇所に温風と冷風を交互にあてることができ、髪を傷めずに乾燥することができる。また、髪を所望のスタイルに形作る場合も、同様にして、きわめて簡便迅速に温風冷風を切替えることができ、効率的に所望のスタイルを形成することができる。しかも、ノズルは１だけであるので、使用者が自分の髪について使用する場合も、容易に風を当てる位置を把握することができ、使いやすいものとなる。
【００１１】
第１及び第２送風機を左右並行に設けると、全体形状の薄型化が可能になり、かつ重心を低く抑えることができ、ドライヤーとしての操作性が向上する。
【００１２】
また、陰イオン発生器を有する場合は、次の効果を得ることができる。陰イオンは、温風と共に使用すると容易に中和してしまい、髪まで届きにくい傾向があるが、本発明のヘアドライヤーでは温風と冷風を同時に吹き出すことができるので、冷風中を通って効率的に陰イオンを髪にあてることができ、陰イオンの髪をしなやかに仕上げるという効果を有効に実現することが可能となる。
【００１３】
さらに、タイマースイッチ機構を有する場合は、温風と冷風が同時に、かつその吹き出し位置が交互に変わるようにすることができるので、例えば、ヘアドライヤーを壁等に固定して使用する場合に、特定箇所に自動的に温風と冷風を切替えてあてることが可能となる。
【００１４】
勿論、両方のヒータを同時に使用し、温風を大量に吹き出させることも、両方のヒータを共に止め、冷風を大量に吹き出させることも可能である。また、一方の送風機、ヒータのみを使用することもできる。この場合は当然少量の風量となり、しかも従来のヘアドライヤーでは少風量時には必然的に高温となってしまうものであるが、本発明では通常の温風と同じ温度とすることができる。
【実施例】
【００１５】
以下、本発明を図示する実施例について具体的に説明する。
【００１６】
このヘアドライヤー１０において、本体ケース１１の上後部に第１送風機１２ａ、第２送風機１２ｂが左右に並列して設けられる。各送風機１２ａ，１２ｂは、ファン１３ａ，１３ｂ及びモータ１４ａ，１４ｂよりなる。これらの送風機の前方に、これらの送風機からの空気を加熱することのできる第１ヒータ１５ａ及び第２ヒータ１５ｂがそれぞれ設けられている。これらのヒータの前方には、１のノズル１６が設けられている。このノズル１６は、内部に仕切り板１７を有し、第１、第２ヒータ１５ａ，１５ｂを経た空気を平行に並べて送出する。なおこの仕切り板１７は、省略することも可能である。この仕切り板１７の両面には、陰イオン発生器１８ａ，１８ｂが設けられている。
【００１７】
本体ケース１１下部にはハンドル１９が形成され、ここにスイッチ機構２０が設けられている。このスイッチ機構２０は、各送風機１２ａ，１２ｂ、ヒータ１５ａ，１５ｂ、陰イオン発生器１８ａ，１８ｂのオンオフを制御するものであり、温風、冷風、オフを各送風機に付いて切替えることができる。さらに、このスイッチ機構はタイマー機構を内蔵し、第１、第２ヒータを所定時間ごとに交互にオンオフすることもできる。
【図面の簡単な説明】
【００１８】
【図１】本発明の一実施例の正断面図である。
【図２】同例の平断面図である。
【図３】同例の左側面図である。
【図４】同例の右側面図である。
【符号の説明】
【００１９】
１０            ヘアドライヤー
１１            本体ケース
１２ａ          第１送風機
１２ｂ          第２送風機
１３ａ          ファン
１３ｂ          ファン
１４ａ          モータ
１４ｂ          モータ
１５ａ          第１ヒータ
１５ｂ          第２ヒータ
１６            ノズル
１７            仕切り板
１８ａ          陰イオン発生器
１８ｂ          陰イオン発生器
１９            ハンドル
２０            スイッチ機構
【図１】
2005334130.tif 000003
【図２】
2005334130.tif 000004
【図３】
2005334130.tif 000005
【図４】
2005334130.tif 000006